(57)【要約】【課題】吊り下げアクセサリーとしての使用を可能とするとともに、開閉時には容易に操作ができる小物ケースを提供する。【解決手段】内部に収納部１０を有するケースの本体部３と、前記本体部３の一端に形成されたヒンジ部４と、前記ヒンジ部４を介して前記本体部３に接続されたカバー部２と、前記カバー部２の前記ヒンジ部４の反対側に形成された係止部７と、前記本体部３の前記ヒンジ部４の反対側に形成された吊り環５とを有するケース１であって、且つ前記係止部７を前記吊り環５の内部スペース６に配置させる様に構成されている小物ケース。【選択図】図１
2006345899.tif 000002
【特許請求の範囲】
【請求項１】
内部に収納部を有する本体部と、前記本体部の一端に形成されたヒンジ部と、前記ヒンジ部を介して前記本体部に接続されたカバー部と、前記カバー部の前記ヒンジ部の反対側に形成された係止部と、前記本体部の前記ヒンジ部の反対側に形成された吊り環とを有するケースであって、且つ前記係止部を前記吊り環の内部スペースに配置させたことを特徴とする小物ケース。
【請求項２】
前記本体部、前記カバー部、前記ヒンジ部、前記係止部および前記吊り環は全て一体に成型されていることを特徴とする請求項１に記載の小物ケース。
【請求項３】
前記係止部の先端部分は、前記吊り環の内部スペースに於ける前記本体部との接合部近傍の内部形状と同様若しくはそれに近似した形状を有していることを特徴とする請求項１又は２に記載の小物ケース。
【請求項４】
前記係止部の前記先端部分の内側に、前記吊り環に於ける前記本体部との接合部近傍の内部形状部分と係合する係止凸部が設けられている事を特徴とする請求項１乃至３の何れかに記載の小物ケース。
【請求項５】
前記吊り環は、前記係止部の前記吊り環に対する嵌合若しくは離脱方向に変形可能に構成されている事を特徴とする請求項１乃至４の何れかに記載の小物ケース。
【請求項６】
前記カバー部が前記本体部と密接している状態では、前記係止部の前記先端部分は、前記本体部の底面部が形成する平面若しくは前記平面に近接する平面に配置される事を特徴とする請求項１乃至５何れかに記載の小物ケース。
【発明の詳細な説明】
【技術分野】
【０００１】
本発明は、内部に収納部を有する小物ケースに関し、特に吊り下げ持ち運び用の吊り環を有する小物ケースに関する。
【背景技術】
【０００２】
従来から、一般に、サプリメントケースやフォトケースまたはギターのピックケース等比較的簡易に物品を収納するための小物ケースは、カバー部と内部に収納部を有するケース用の本体部とを有し、前記カバー部と前記本体部とを相互に変位可能に接合したヒンジ部を前記本体部の一端部に設けると共に、前記ヒンジ部の反対側に適宜の係止部を有する構成となっている。
然しながら、この従来の小物ケースに於ける係止部は、係止凸部と係止フックとを有し、この２者が係合することにより係止される構成が多く採用されている。
【０００３】
このように構成された小物ケースにおいては、前記係止部はケースの本体部より突出して形成されることとなるため、意図せずにその係合が外れて開いてしまい内部の収納物が落下してしまう恐れを有していた。
また、この突出した係止部がポケットや体に当たってしまい、衣服や携帯製品、或いはユーザーの皮膚等に少なからずダメージを与える恐れも有していた。
更に、前記係止部は、特に小型のケースにおいては小さくなりすぎるために指先での開閉は極めて操作しづらいという欠点を有していた。
【０００４】
一方、キーや携帯電話に吊り下げたりペンダントのトップとして使用される比較的小型のアクセサリーには、紐やチェーンを取り付けるための吊り環が備えられている。
従って、この様な吊り環を利用して、片手で容易に操作できる小物ケースが要望されているが、従来の小物ケースでは、上記の問題点を有することから普及されていないのが現状である。
【発明の開示】
【発明が解決しようとする課題】
【０００５】
従って、本発明の目的は、吊り下げアクセサリーとしての使用を可能とするとともに、従来の小物ケースの欠点を全て解消したもので、ケースが意図せずに開閉してしまうことなく、ポケットや体にダメージを与えることもなく、また開閉時には容易に操作が出来ることを可能にした小物ケースを提供するものである。
【課題を解決するための手段】
【０００６】
本発明は、上記目的を達成するために、以下に示す様な基本的な技術構成を採用するものである。
即ち、本発明の小物ケースは、内部に収納部を有する本体部と、前記本体部の一端に形成されたヒンジ部と、前記ヒンジ部を介して前記本体部に接続されたカバー部と、前記カバー部の前記ヒンジ部の反対側に形成された係止部と、前記本体部の前記ヒンジ部の反対側に形成された吊り環とを有するケースであって、且つ前記係止部を前記吊り環の内部スペースに配置させた小物ケースである。
【発明の効果】
【０００７】
本発明の小物ケースによれば、吊り環を有しているためにキーや携帯電話に吊り下げたりペンダントのトップとして極めて良好にかつ便利に使用され得る効果を有する。
また、ケースの係止部を吊り環の内部スペースに位置させる構成としたために、本来突出している係止部が吊り環によりガードされるとともに、紐やチェーンで吊り下げられる際に最上部に位置することとなるため、ポケットや体にダメージを与えることは全く無くなる効果を有する。
【０００８】
さらに、ケースの開閉時には、吊り環部分に親指をかけ、係止フックを人差し指で持ち上げる操作のみでいとも簡単に開閉が可能となる効果を有する。
また、以下に述べる実施例のように構成すると、ケースの本体部、カバー部，ヒンジ部，係止部および吊り環は、全て一体に成型することが可能となるため、安価で大量生産にも好適な小物ケースが提供できる効果をも奏するものである。
【発明を実施するための最良の形態】
【０００９】
以下に、本発明にかかる小物ケースの具体例の構成を図面を参照しながら詳細に説明する。
即ち、図１は、本発明に於ける小物ケースの一具体例の構成を示す図であって、図中、内部に収納部１０を有するケースの本体部３と、前記本体部３の一端に形成されたヒンジ部４と、前記ヒンジ部４を介して前記本体部３に接続されたカバー部２と、前記カバー部２の前記ヒンジ部４の反対側に形成された係止部７と、前記本体部３の前記ヒンジ部４の反対側に形成された吊り環５とを有するケース１であって、且つ前記係止部７は前記吊り環５の内部スペース６に配置させる様に構成されている小物ケース１が示されている。
そして、本発明においては、前記小物ケース１に於ける前記本体部３、前記カバー部２、前記ヒンジ部４、前記係止部７および前記吊り環５は全て適宜の合成樹脂材料を用いて一体に成型されていることが望ましい。
【００１０】
本発明に於ける前記小物ケース１を更に詳細に説明するならば、前記小物ケース１は、例えばポリプロピレンの様な柔軟性のある合成樹脂材料等から一体成形加工により構成されるものであって、本体部３は、その内部に適宜の小物を収納しうる収納部１０を有するものであって、その深さを含めた寸法は適宜決定すれば良い。
又、前記カバー部２は、前記本体部３をカバーする蓋部として機能するものであるが、前記カバー部にも収納部が設けられていても良い。
【００１１】
一方、前記ヒンジ部４は、前記本体部の一端部に形成されたものであって、前記本体部３と前記カバー部４とを接合し、且つ前記本体部３と前記カバー部４とが相互に相対的に旋回できる構造を有するものである。
前記ヒンジ部４は、例えば、上記した合成樹脂材料が比較的薄い膜状に形成された形状に形成され、それによって前記カバー部２が容易に前記ヒンジ部４を中心に旋回可能となるので、容易に前記本体部３を開閉する事が出来る。
【００１２】
更には、本発明に於いては前記係止部７が、前記カバー部２において、前記ヒンジ部４が形成されている部位９とは反対側の部位９’に形成され、且つ前記吊り環５が、前記本体部３に於いて前記ヒンジ部４が形成されている部位９とは反対側の部位９”に形成され、然もその両者が互いに対応するそれぞれの部位に形成されている事が必要である。
【００１３】
この様な構成を採用する事によって、本発明の小物ケース１に於いては、前記吊り環５に指をかけて前記係止部７の先端部分１２を押し上げる事により、片手で容易に小物ケース１の蓋であるカバー部を開閉する事が可能となる。
又、本発明に於いては、前記係止部７は前記吊り環５の内部スペース６に配置させる構成をとるものであり、これによって、前記係止部７は、前記吊り環５の特に前記本体部３との接合部近傍の部分を係合相手として利用するものである。
【００１４】
更に、本発明に於いては、前記係止部７を前記吊り環５の内部スペース６に配置させる構成をとる事によって、前記係止部７が前記小物ケース１の使用者の動作に邪魔とならない位置に収める事が可能となった。
又、本発明に於いては、前記吊り環５は、特にその形状は特定されるものではないが、例えば、円形のリング状に形成されたもので有っても良く、又、楕円形や三角形状あるいは多角形形状等の閉鎖状環状体を使用する事も可能であり、前記環状体５の内部に係止部７を位置させるスペース６が有ればいかなる形状のものであっても良い。
【００１５】
一方、本発明に於いて使用される前記係止部７は、例えば、図２に示す様に、係止凸部８と係止フック１１とで構成されており、前記吊り環５の内部スペース６内に配置されるように構成されているものである。前記係止部７の係止フック１１における先端部分１２は、前記吊り環５の内部スペース６のケース本体３の接合部の形状と同様の形状に形成されている事が好ましい。
つまり、本発明に於いては、前記係止部７の先端部分１２は、図３に例示する様に、前記吊り環５の内部スペース６に於ける前記本体部３との接合部近傍の内部形状と同様若しくはそれに近似した形状を有している事が望ましい。
【００１６】
更に、本発明に於いては、前記係止部７の前記先端部分１２の内側に、前記吊り環５に於ける前記本体部３との接合部近傍の内部形状部分１３と係合する係止凸部８が設けられている事も望ましい。
一方、本発明に於いては、前記吊り環５は、前記係止部７の前記吊り環５に対する嵌合方向若しくは離脱方向に変形可能に構成されている事が好ましい。
【００１７】
つまり、図２に示す様に、本発明に於ける前記吊り環５は、矢印Ｘの方向力を印加するとその方向に曲がり易く構成されており、前記力を除去すれば、基の位置に復帰できる様に構成されている事が望ましい。
そのためには、この機能を発揮できる合成樹脂を選択して使用すると共に、前記吊り環５の厚みを適度の値に設定する必要がある。
又、本発明に於いては、前記カバー部２が前記本体部３と密接している状態では、前記係止部７の前記先端部分１２は、その端面部１２’が、前記本体部３の底面部１４が形成する平面１５若しくは前記平面１５に近接する平面上に配置される様に構成する事も望ましい具体例である。
【００１８】
本発明において、係止部７を上記した様な構成とすることによって、以下に説明する様に、前記小物ケース１を開閉する場合の操作が極めて容易となる。
【００１９】
以下に、前記のように構成した本発明に於ける小物ケースの使用方法および作用について説明する。
図２は小物ケース１を閉じた状態を示しているものであるが、開ける場合には吊り環５に親指をかけて点線の様に下方に湾曲させながら、人差し指にて前記係止部７の前記端面部１２’を下側より上方に向けて適度の力Ｆを印加して前記係止部７の係止フック１１を持ち上げる。この操作によりケース本体部３とカバー部２とは、ヒンジ部４のバネ力によって容易に且ついとも簡単に開放される。
【００２０】
又、前記小物ケース１を閉じるときは、通常の小物ケースと同様に人差し指と親指とでケース本体３とカバー部２を挟み込むのみで係止部７の係止フック１１に設けられた係止凸部８が吊り環５内の内部形状部分１３と係合され、小物ケースは閉じられる。
また、前記実施例の説明においては、ケースの本体部３、カバー部２、ヒンジ部４，係止部７および吊り環５は全て一体に成型されたものについて説明したが、本発明に於ける小物ケース１は、これに限定されることなく、各々のパーツを別体に形成して組み合わせたものであっても良い。
【図面の簡単な説明】
【００２１】
【図１】図１は、本発明に於ける小物ケースの一具体例の構成を示す斜視図である。
【図２】図２は、本発明に於ける小物ケースの一具体例の構成を示す断面図である。
【図３】図３は、本発明に於ける吊り環と係止部の先端部分との係合状態の例を示す図である。
【符号の説明】
【００２２】
１・・・小物ケース
２・・・カバー部
３・・・ケースの本体部
４・・・ヒンジ部
５・・・吊り環
６・・・内部スペース
７・・・係止部
８・・・係止凸部
９，９’、９”・・・端部
１０・・・収納部
１１・・・係止フック
１２・・・係止部の先端部分
１２’・・ 係止部の先端部分の端面部
１３・・・吊り環５に於ける本体部３との接合部近傍の内部形状部分
１４・・・本体部の底面部
１５・・・本体部の底面部が形成する平面
【図１】
2006345899.tif 000003
【図２】
2006345899.tif 000004
【図３】
2006345899.tif 000005